(57)【要約】【課題】構造が簡単で、しかも安定した状態で物品を保持しながら、その物品を運搬することのできる物品運搬装置を提案する。【解決手段】物品２が載置されるパレット３と、そのパレット３に載置された物品２をパレット３に対して固定する剛体より成る固定部材４とを具備し、物品２は、その物品２がパレット３上に載置された状態で、該パレット３の上面５に対してほぼ平行な水平面１４と、該水平面１４に対してほぼ垂直な垂直面１５，１５Ａとを有し、固定部材４は、これがパレット３に固定された状態で、物品２の水平面１４と垂直面１５，１５Ａに当接して、該物品２をパレット３に対して固定するように構成されている。【選択図】図３
2008207827.tif 000002
【特許請求の範囲】
【請求項１】
物品が載置されるパレットと、該パレットに載置された物品をパレットに対して固定する剛体より成る少なくとも１つの固定部材とを具備し、前記物品は、該物品がパレット上に載置された状態で、該パレットの上面に対してほぼ平行な水平面と、該水平面に対してほぼ垂直な垂直面とを有し、前記固定部材は、これがパレットに固定された状態で、前記物品の水平面と垂直面に当接して、該物品をパレットに対して固定する物品運搬装置。
【請求項２】
前記物品の互いに対向する２つの側部に形成された水平面と垂直面にそれぞれ当接する少なくとも２つの固定部材を具備する請求項１に記載の物品運搬装置。
【請求項３】
前記固定部材は、前記パレットに載置された物品の高さの半分の高さ位置よりも下方の物品部分に形成された水平面と垂直面に当接して、該物品をパレットに対して固定する請求項１又は２に記載の物品運搬装置。
【請求項４】
前記固定部材は、前記パレットに載置された物品に当接して、該物品を固定する使用位置と、該物品から離れた退避位置との間を移動可能にパレットに支持されている請求項１乃至３のいずれかに記載の物品運搬装置。
【請求項５】
前記退避位置を占めた固定部材は、前記パレットの上面よりも下方の収納空間に収められる請求項４に記載の物品運搬装置。
【請求項６】
前記固定部材が前記退避位置に移動する向きに該固定部材を付勢する付勢部材を設けた請求項４又は５に記載の物品運搬装置。
【請求項７】
前記固定部材は、ねじによって前記パレットに対して着脱可能に固定される請求項１乃至６のいずれかに記載の物品運搬装置。
【請求項８】
前記パレットに載置された物品に当接した固定部材を該パレットに対して固定するロック手段を具備する請求項１乃至６のいずれかに記載の物品運搬装置。
【請求項９】
前記ロック手段は、前記パレットに形成された孔に着脱可能に嵌合して、前記固定部材を保持するロック部材より成る請求項８に記載の物品運搬装置。
【請求項１０】
前記固定部材の少なくとも一部に緩衝部材が装着され、該固定部材は前記緩衝部材を介して前記物品に当接する請求項１乃至９のいずれかに記載の物品運搬装置。
【発明の詳細な説明】
【技術分野】
【０００１】
本発明は、例えば画像形成装置などの電子機器、電化製品、これらの部品又はその他の物品を運搬する際に用いられる物品運搬装置に関する。
【背景技術】
【０００２】
物品を載置するパレットと、このパレット上の物品を該パレットに対して位置決めする位置決め部材と、パレットに着脱可能に取り付けられた複数の支柱と、パレット上の物品と各支柱との間に配置された緩衝部材とを有する物品運搬装置は従来より周知である。この種の物品運搬装置によれば、物品の下部を位置決め部材によりパレットに対して位置決めし、物品の上部を緩衝部材によって保持することができるので、物品の運搬中にその物品が大きく揺れ動くことを阻止し、物品を安定した状態で運搬することができる。しかも、物品運搬装置を何度も使用することができる。ところが、この形式の物品運搬装置は、その部品点数が多いため、構造が複雑化し、支柱や緩衝部材を組み付けるのに手間がかかり、しかもコストが高くなる欠点を免れない。
【０００３】
そこで、パレット上に載置された物品を、可撓性のベルトより成る固定部材によってパレットに固定することのできる物品運搬装置が提案されている（特許文献１参照）。この形式の物品運搬装置によれば、基本的には、パレットと、該パレット上の物品をパレットに対して固定する固定部材だけで物品を運搬できるので、物品運搬装置の構造を簡素化し、そのコストを低減することができる。ところが、可撓性のベルトより成る固定部材によってパレット上の物品をパレットに固定するので、物品を強固にパレットに固定することは難しく、物品の運搬中に物品の上部が大きく揺れ動くおそれがある。
【０００４】
【特許文献１】特開２００４−３３１０８９号公報
【発明の開示】
【発明が解決しようとする課題】
【０００５】
本発明の目的は、構造を簡素化でき、しかも物品を安定した状態で運搬することのできる物品運搬装置を提供することにある。
【課題を解決するための手段】
【０００６】
本発明は、上記目的を達成するため、物品が載置されるパレットと、該パレットに載置された物品をパレットに対して固定する剛体より成る少なくとも１つの固定部材とを具備し、前記物品は、該物品がパレット上に載置された状態で、該パレットの上面に対してほぼ平行な水平面と、該水平面に対してほぼ垂直な垂直面とを有し、前記固定部材は、これがパレットに固定された状態で、前記物品の水平面と垂直面に当接して、該物品をパレットに対して固定する物品運搬装置を提案する（請求項１）。
【０００７】
また、上記請求項１に記載の物品運搬装置において、前記物品の互いに対向する２つの側部に形成された水平面と垂直面にそれぞれ当接する少なくとも２つの固定部材を具備していると有利である（請求項２）。
【０００８】
さらに、上記請求項１又は２に記載の物品運搬装置において、前記固定部材は、前記パレットに載置された物品の高さの半分の高さ位置よりも下方の物品部分に形成された水平面と垂直面に当接して、該物品をパレットに対して固定するように構成されていると有利である（請求項３）。
【０００９】
また、上記請求項１乃至３のいずれかに記載の物品運搬装置において、前記固定部材は、前記パレットに載置された物品に当接して、該物品を固定する使用位置と、該物品から離れた退避位置との間を移動可能にパレットに支持されていると有利である（請求項４）。
【００１０】
さらに、上記請求項４に記載の物品運搬装置において、前記退避位置を占めた固定部材は、前記パレットの上面よりも下方の収納空間に収められるように構成されていると有利である（請求項５）。
【００１１】
また、上記請求項４又は５に記載の物品運搬装置において、前記固定部材が前記退避位置に移動する向きに該固定部材を付勢する付勢部材を設けると有利である（請求項６）。
【００１２】
さらに、上記請求項１乃至６のいずれかに記載の物品運搬装置において、前記固定部材は、ねじによって前記パレットに対して着脱可能に固定されるように構成することもできる（請求項７）。
【００１３】
また、上記請求項１乃至６のいずれかに記載の物品運搬装置において、前記パレットに載置された物品に当接した固定部材を該パレットに対して固定するロック手段を具備すると有利である（請求項８）。
【００１４】
さらに、上記請求項８に記載の物品運搬装置において、前記ロック手段は、前記パレットに形成された孔に着脱可能に嵌合して、前記固定部材を保持するロック部材より成ると有利である（請求項９）。
【００１５】
また、上記請求項１乃至９のいずれかに記載の物品運搬装置において、前記固定部材の少なくとも一部に緩衝部材が装着され、該固定部材は前記緩衝部材を介して前記物品に当接するように構成すると有利である（請求項１０）。
【発明の効果】
【００１６】
本発明によれば、剛体より成る固定部材によってパレット上の物品をそのパレットに強固に固定し、安定した状態で物品を運搬することができる。
【発明を実施するための最良の形態】
【００１７】
以下、本発明の実施形態例を図面に従って詳細に説明する。
【００１８】
図１は、物品運搬装置１の一例を示す斜視図であり、図２はその概略平面図である。ここに示した物品運搬装置１は、物品２が載置されるパレット３と、このパレット３に載置された物品２をパレット３に対して固定する固定部材４とを有している。物品２はパレット３の水平な上面５の上に載置される。図には物品の一例として複写機を示してあるが、複写機以外の適宜な物品をパレット３上に載置して運搬することもできる。図３は、物品２の一部を破断して示す概略部分正面図であるが、この図と図２においては物品２の形態を簡略化して示してある。
【００１９】
図１乃至図３に示した物品２は、その正面側の側部６と、奥側の側部７と、左側の側部８と、右側の側部９の４つの側部を有していて、正面側と奥側の２つの側部６，７は互いに対向し、左右の２つの側部８，９も互いに対向している。
【００２０】
物品２の左右の側部８，９にそれぞれ２つずつの固定部材４が配置され、これらの固定部材４は、図４にも示すように基部１０と、これと一体の先端部１１とを有するほぼ逆Ｌ字形のフック状に形成されており、その各先端部１１が、物品２の左右の側部８，９に形成された各穴１２に嵌合している。
【００２１】
各固定部材４は、その基部１０がねじ１３によってパレット３に対して着脱可能に固定されている。また、図３の（ａ）に示すように、物品２に形成された各穴１２の底面は、パレット３の上面５に対してほぼ平行な水平面１４を構成し、各孔１２の奥側の面は、水平面１４に対してほぼ垂直な垂直面１５を構成している。ねじ１３によってパレット３に固定された各固定部材４の先端部１１の下面１１Ａと先端面１１Ｂは、物品２に形成された水平面１４と垂直面１５にそれぞれ当接している。物品２の互いに対向する側部８，９にそれぞれ形成された水平面１４と垂直面１５に各固定部材４が当接しているのである。このため、物品２は、パレット３の上面５に対して平行な方向とその上面５に対して垂直な上下方向に不動状態にパレット３に固定される。しかも、各固定部材４は、パレット３と同様に、例えば硬質の樹脂、金属、木材又はこれらの複合材などの剛体によって構成されているので、物品２はパレット３に強固に固定される。従って、例えば、パレット３の底面に図示していないフォークリフトのフォークを差し込んで、物品２の載置されたパレット３を持ち上げ、これをトラックなどに搭載して運搬する際、物品２に衝撃が加えられたとしても、該物品２が大きく揺れ動くことはなく、物品２を安定した状態で運搬することができる。物品２を目的地まで運搬した後は、ねじ１３を緩めて、これを各固定部材４から外し、その各固定部材４の先端部１１を物品２の穴１２から抜き出せば、そのまま物品２をパレット３から降ろすことができる。逆の操作により、物品２をパレット３上に載置して固定することができる。このように、固定部材４だけで簡単に物品２をパレット３に固定することができるのである。従来の物品運搬装置のように支柱や緩衝部材は不要であるため、物品運搬装置のコストを低減することができ、しかも、ベルトより成る固定部材を用いた物品運搬装置に比べ、パレット３上の物品２を安定した状態で運搬することができる。
【００２２】
また、図３の（ｂ）に示すように、固定部材４の先端部１１の先端面１１Ｂを物品２に形成された垂直面１５に当接させる代りに、固定部材４の基部１０の面１０Ａをこれに対向する物品２の垂直面１５Ａに当接させても、物品２をパレット３に対して強固に固定することができる。勿論、固定部材４の先端面１１Ｂと面１０Ａを共に物品２の垂直面１５，１５Ａに当接させるようにしてもよい。図３の（ｂ）に示した物品運搬装置１の他の構成は、図１、図２及び図３の（ａ）に示した物品運搬装置１と変わりはない。
【００２３】
図には、物品の一例として複写機を示したが、その複写機の外装カバー又はフレーム、或いはその両者に水平面１４と垂直面１５，１５Ａを形成することができる。その際、特にフレームに水平面１４と垂直面１５，１５Ａを形成し、これらの面に固定部材４を当接させれば、物品をより強固にパレット３に対して固定することができる。
【００２４】
図１乃至図４に示した例では、物品２の互いに対向する各側部８，９に２つずつの固定部材４を設けたが、その各側部８，９に１又は３以上の固定部材４を設けることもできる。或いは、物品２の前後の各側部６，７にそれぞれ少なくとも１つの固定部材を配置して、物品２をパレット３に対して固定することもできる。勿論、全ての側部６乃至９にそれぞれ少なくとも１つの固定部材を設けて、物品２を固定することもできる。このように、物品２の互いに対向する２つの側部に形成された水平面１４と垂直面１５，１５Ａにそれぞれ当接する少なくとも２つの固定部材４を設けることによって、物品２を安定状態で、しかも強固にパレット２に固定することができる。これに対し、物品２の水平面と垂直面に対して固定部材を強く圧接させるようにすれば、１つの固定部材だけで、物品をパレットに強固に固定することもできる。
【００２５】
上述のように、本例の物品運搬装置１は、物品２が載置されるパレット３と、該パレット３に載置された物品２をパレット３に対して固定する剛体より成る少なくとも１つの固定部材４とを具備し、その物品２は、該物品２がパレット３上に載置された状態で、該パレット３の上面５に対してほぼ平行な水平面１４と、該水平面１４に対してほぼ垂直な垂直面１５，１５Ａとを有し、固定部材４は、これがパレット３に固定された状態で、物品２の水平面１４と垂直面１５，１５Ａに当接して、該物品２をパレット３に対して固定するように構成されている。かかる構成は、後述する各実施形態例の物品運搬装置に共通するものである。
【００２６】
また、図１及び図３の（ａ），（ｂ）に示したように、固定部材４は、パレット３に載置された物品２の高さの半分の高さよりも下方の物品部分に形成された穴１２の水平面１４と垂直面１５，１５Ａに当接して、物品２をパレット３に対して固定するように構成されている。これにより、物品２の下部をパレット３に強固に固定することができるので、物品２を安定した状態で、パレット３に保持することができる。かかる構成も、後述する各実施形態例の物品運搬装置に共通するものである。
【００２７】
図５は、金属又は樹脂製の板材によって構成された固定部材４を示す。この固定部材４も、その基部１０がねじ１３によってパレット３に着脱可能に固定され、その先端部１１の下面１１Ａが、物品２に形成された水平面１４に当接し、物品２の先端面１１Ｂが、物品２の垂直面１５に当接している。これにより、物品２がパレット３に対して強固に固定される。
【００２８】
以上説明した物品運搬装置１の固定部材４は、ねじ１３によってパレット３に対して着脱可能に固定されているが、固定部材４が、パレット３に載置された物品２に当接して、該物品２を固定する使用位置と、該物品２から離れた退避位置との間を移動可能にパレット３に支持されるように物品運搬装置１を構成することもできる。例えば、図６に示すように、固定部材４の基部１０に同心状に突出する一対の支持軸１６を突設し、その各支持軸１６を、パレット３に形成した支持穴に回転可能に嵌合し、固定部材４が図６に示した使用位置と、この使用位置から、支持軸１６の回りに矢印Ａ方向に回動した退避位置との間を回動できるように構成する。固定部材４が使用位置を占めたとき、その固定部材４は、図３に示した固定部材と同じく、物品２の水平面と垂直面に当接して、物品２をパレット３に対して固定する。また、固定部材４を退避位置に回動させると、その固定部材４はパレット３上の物品２から離れるので、その物品２を支障なくパレット３から降ろすことができる。再び、物品２をパレット３上に載置した上、固定部材４を矢印Ｂ方向に回動させて、その固定部材４を使用位置にもたらし、物品２をパレット３に対して固定することができる。
【００２９】
上述した物品運搬装置１によれば、図１に示した物品運搬装置１のように、物品２の積み下ろし時に、ねじ１３を外したり、締め付ける操作を行わずに単に固定部材４を回動させるだけでよいため、楽に物品の積み下ろし作業を行うことができる。
【００３０】
また、図６に示した物品運搬装置１には、パレット３に載置された物品２に固定部材４が当接して、物品２をパレット３に固定しているとき、その固定部材４をパレット３に対して固定するロック手段１７が設けられている。図６に示したロック手段１７は、パレット３に形成された溝１８に矢印Ｃ，Ｄ方向に摺動可能に嵌合したロック部材１９を有し、そのロック部材１９の一部であるつまみ部２０が溝１８よりも上方に突出している。
【００３１】
固定部材４が図６に示した使用位置を占めた状態で、ロック部材１９のつまみ部２０に指を掛けて、これを矢印Ｃ方向にスライドさせ、該ロック部材１９を固定部材４に形成されたロック穴２１に嵌合する。これにより、固定部材４を使用位置に不動に保持でき、物品２の運搬中に、その物品２に衝撃が加えられても、固定部材４が使用位置から退避位置に回動することを阻止することができる。
【００３２】
ロック部材１９のつまみ部２０を矢印Ｄ方向にスライドさせ、ロック部材１９をロック穴２１から外すことによって、固定部材４に対するロックを解除することができる。これにより、固定部材４を矢印Ａ方向に回動させて、これを退避位置にもたらすことができる。再び、固定部材４を矢印Ｂ方向に回動することにより、その固定部材４を使用位置にもたらすことができる。固定部材４が退避位置を占めたとき、その固定部材４をパレット３に対してロックするロック部材を設けることもできる。
【００３３】
図７に示した物品運搬装置１の固定部材４も、使用位置と退避位置との間を移動可能にパレット３に支持されている。ここに示した固定部材４には、一対の長孔２２が形成され、これらの長孔２２に、パレット３に固定された支持軸１６Ａが貫通している。固定部材４は、この支持軸１６Ａのまわりに矢印Ａ，Ｂ方向に回動可能であると共に、矢印Ｅ，Ｆで示すように、物品２に対して接近又は離間する方向にスライド可能となっている。
【００３４】
図７は、固定部材４がパレット３上に載置された物品２に当接して、その物品２を固定する使用位置を占めたときの様子を示している。このとき、固定部材４の基部１０がねじ１３によってパレット３に固定されている。その際、固定部材４の基部１０には、図８の（ａ）に示すように、大径孔２３と小幅孔２４が接続して成る取付孔が形成され、固定部材４が図７に示した使用位置にあるとき、ねじ１３は小幅孔２４を貫通して、パレット３に螺着されている。小幅孔２４の幅は、ねじ１３の頭部１３Ａの直径よりも小さくなっているので、固定部材４はパレット３に対して確実に固定される。
【００３５】
固定部材４を退避位置にもたらすには、先ず、ねじ１３を緩めた上、固定部材４を図７に矢印Ｆで示した方向にスライドさせる。これにより、取付孔の大径孔２３が図８の（ｂ）に示すようにねじ１３の頭部１３Ａに合致する。このとき、大径孔２３の直径は、ねじ１３の頭部１３Ａの直径よりも大きく設定されているので、固定部材４を図７に矢印Ａで示した方向に回動させ、図９に示した退避位置にもたらすことができる。このように退避位置を閉めた固定部材４は、パレット３の上面５よりも下方の収納空間Ｓに収められ、固定部材４がパレット３の上面５よりも上方に突出することはない。このため、パレット３から物品２を降ろした後、空となった物品運搬装置１を元の場所に返送する該に、固定部材４に邪魔されることなく、複数のパレット３を上下にコンパクトに積み重ねることができ、これを楽に返送することができる。また、固定部材４が収納空間Ｓ内に収められるので、フォークリフトのフォークなどが固定部材４に突き当たって、固定部材４が破損するおそれもない。
【００３６】
一方、図６に示した物品運搬装置１の固定部材４とパレット３には、付勢部材の一例である引張ばね２５の各端部が係止され、これによって固定部材４は、退避位置に移動する向きに付勢されている。このため、固定部材４に対するロックを解除すれば、固定部材４は自動的に退避位置に回動するので、楽にパレット３への物品２の積み降ろし作業を行うことができる。引張ばね２５としては、耐久性の高い金属製のばね、特に耐候性に優れたステンレス鋼製のばねを用いることが好ましい。
【００３７】
図１０乃至図２０は、使用位置と退避位置との間を移動可能な固定部材４を有する物品運搬装置１の他の例を示している。図１０に示した固定部材４は、その基部１０に一対の舌部２６が突設され、その各舌部２６がパレット３に形成されたガイド溝２７に矢印Ｇ，Ｈ方向に摺動可能に嵌合している。図１０は、固定部材４が物品２をパレット３に固定する使用位置を占めたときの状態を示しているが、固定部材４がこの使用位置にあるとき、該固定部材４はロック手段１７によってパレット３に固定される。ここに示したロック手段１７は、固定部材４の舌部２６に形成された孔と、パレット３に形成されたロック穴（図示せず）とに嵌合するロック部材２８を有している。各ロック部材２８がパレット３のロック穴に嵌合することによって、固定部材４がパレット３に対してロックされ、その使用位置に保持される。
【００３８】
固定部材４を退避位置にもたらすには、各ロック部材２８を上方に動かして、その各ロック部材２８をパレット３に形成されたロック穴から外せばよい。これにより、固定部材４に対するロックが解除されるので、その固定部材４を矢印Ｇで示すように水平に移動させ、その固定部材４を物品２に当接しない退避位置にもたらすことができる。逆に、固定部材４を矢印Ｈで示す方向にスライドさせることにより、その固定部材４を使用位置にもたらし、各ロック部材２８を下方に押し込んで、各ロック部材２８をパレット３に形成されたロック穴に嵌合させることによって、固定部材４をパレット３に対してロックすることができる。
【００３９】
また、図１０に示した物品運搬装置１も、固定部材４とパレット３とに各端部が係止された引張ばね２５が設けられており、使用位置にある固定部材４に対するロックを解除すれば、その固定部材４は自動的に退避位置に移動することができる。
【００４０】
図１１及び図１２も使用位置を占めた固定部材４を示す斜視図であり、ここに示した固定部材４は、その基部１０に長孔２９が形成され、ここに挿通されてパレット３に螺着されたねじ１３によって、固定部材４がパレット３に固定され、その使用位置に保持されている。ねじ１３を緩めれば、固定部材４を矢印Ｇ方向にスライドさせて、これを退避位置にもたらすことができる。逆に固定部材４を矢印Ｈ方向にスライドさせれば、これを使用位置にもたらすことができ、この状態でねじ１３を締め付けることによって、固定部材をパレット３に固定することができる。図１１に示した物品運搬装置１には、パレット３に固定されていて、矢印Ｇ，Ｈ方向にスライドする固定部材４を案内する一対のガイド部材４０が設けられている。
【００４１】
図１３に示す物品運搬装置１においても、固定部材４の基部１０に一対の舌部２６が突設され、その各舌部２６がパレット３に形成されたガイド溝２７に摺動可能に嵌合している。その際、図１３に示した固定部材４の場合には、その一方の舌部２６が軸３０を介してパレット３に枢着されていて、これにより、固定部材４は、パレット３に対して、図１３に矢印Ｉ，Ｊで示した方向に、軸３０のまわりに回動可能となっている。他方の舌部２６には、図１０に示した物品運搬装置１と同様に構成されたロック部材２８が嵌合している。
【００４２】
ロック部材２８を上方に持ち上げて、図１３に示した使用位置にある固定部材４に対するロックを解除した後、その固定部材４を矢印Ｉ方向に回動させれば、その固定部材４を退避位置にもたらすことができる。逆にその固定部材４を矢印Ｊ方向に回動させることによって、固定部材４を使用位置にもたらし、ロック部材２８によって、固定部材４をその使用位置にロックすることができる。また、図１３に示した物品運搬装置１にも、固定部材４とパレット３とに各端部が係止された引張ばね２５が設けられている。
【００４３】
図１４及び図１５に示した固定部材４も、ピン３１を介して、矢印Ｉ，Ｊ方向に回動可能にパレット３に連結されている。この固定部材４が図１４に示した使用位置にあるとき、該固定部材４はパレット３に固定された位置決め部材３２によって位置決めされ、図示していないねじによってパレット３に固定される。これに対し、ねじを緩め、固定部材４を矢印Ｉ方向に回動させることによって、その固定部材４を図１５に示した退避位置にもたらすことができる。さらにその固定部材４を矢印Ｊ方向に回動させることによって、当該固定部材４を使用位置にもたらして、これをパレット３に対して固定することができる。
【００４４】
図１６及び図１７に示した固定部材４も、ピン３１を介してパレット３に回動可能に連結され、図１６に示した使用位置と、図１７に示した退避位置との間を回動することができる。
【００４５】
図１８乃至図２０に示した物品運搬装置１の固定部材４は、図６に示した固定部材と同様に同心状の一対の支持軸１６を有し、その各支持軸１６がパレット３に形成された支持穴に回転可能に嵌合している。これにより、固定部材４は図１８及び図１９の使用位置と図２０に示した退避位置との間を回動可能にパレット３に支持される。
【００４６】
ここで、本例の固定部材４は、図１９に示すように、基部１０から突出した突出部３３を有し、固定部材４が図１９に示した使用位置を占めたとき、突出部３３は物品２の下側に位置して、物品２によって押え付けられる。このとき、固定部材４はロック手段１７によって使用位置にロックされる。ここに示したロック手段１７は、パレット３に形成された孔３４に着脱可能に嵌合して、固定部材４を保持するロック部材３５により構成されている。このロック部材３５は、物品２を向いた側の固定部材４の面と反対側の面３６を大きな面積で保持できるので、固定部材４を安定した状態にロックすることができる。このため、物品２の運搬中に、その物品２や固定部材４に衝撃が加えられても、固定部材４を確実に使用位置に保持しておくことができる。
【００４７】
また、固定部材４の突出部３３の下面側に形成された凹部３７には、圧縮コイルばね３８より成る付勢部材が配置されている。図１９に示したロック部材３５を上方に引いて、そのロック部材３５を孔３４から抜き出した後、物品２を矢印Ｍで示すように上方に持ち上げると、圧縮コイルばね３８の作用によって、固定部材４はその支持軸１６のまわりに図１９の時計方向に回動して、図２０に示した退避位置を占める。
【００４８】
逆に、物品２を図２０に矢印Ｎで示すように下方に下げると、その下面が固定部材４の突出部３３を押圧するので、固定部材４は自動的に支持軸１６のまわりに図２０における反時計方向に回動し、図１９に示した使用位置を占める。
【００４９】
また、図３に示したように、物品２に形成された水平面１４と垂直面１５，１５Ａに、固定部材４を直に当接させてもよいが、図１９に示すように、固定部材４の少なくとも一部、図の例ではその先端部１１に、例えばゴム又は軟質樹脂などの弾性材料から成る緩衝部材３９を装着し、固定部材４をその緩衝部剤３９を介して、物品２の水平面１４と垂直面１５に当接させるように構成することもできる。このように構成すれば、物品２の運搬中にその物品２や固定部材４に加えられた衝撃を緩和することができ、物品２や固定部材４が破損したり変形することを防止できる。
【００５０】
図２１に示した物品運搬装置１も、物品２の左右の側部８，９を固定する固定部材４が設けられていて、物品２の前後の側部６，７には固定部材は設けられていない。その際、固定部材の設けられていない側部６，７を、保持部材４１によって保持すると、物品２をより一層安定した状態でパレット３上に載置することができる。ここに示した保持部材４１は、図２２に示すように、本体４２と、その下面から下方に突出した取付ピン４３を有し、その取付ピン４３をパレット３に形成された取付孔４４に挿入して、保持部材４１をパレット３に取り付け、その本体４１によって物品２の前側の側部６を保持するように構成されている。物品の奥側の側部７に設けられた保持部材４１も同様に構成されている。
【図面の簡単な説明】
【００５１】
【図１】物品運搬装置と、その物品運搬装置のパレット上に載置された物品を示す斜視図である。
【図２】図１に示した物品運搬装置と物品の概略平面図である。
【図３】物品の一部を破断して示す概略部分正面図である。
【図４】図１の一部を拡大して示す斜視図である。
【図５】固定部材の他の例を示す斜視図である。
【図６】固定部材のさらに他の例を示す斜視図である。
【図７】固定部材のさらに別の例を示す斜視図である。
【図８】ねじと取付孔の位置関係を説明する図である。
【図９】図７に示した固定部材を退避位置にもたらしたときの斜視図である。
【図１０】固定部材のさらに他の例を示す斜視図である。
【図１１】固定部材のさらに他の例を示す斜視図である。
【図１２】固定部材のさらに別の例を示す斜視図である。
【図１３】固定部材のさらに別の例を示す斜視図である。
【図１４】固定部材のさらに別の例を示す斜視図である。
【図１５】図１４に示した固定部材を退避位置にもたらしたときの斜視図である。
【図１６】固定部材のさらに別の例を示す斜視図である。
【図１７】図１６に示した固定部材を退避位置にもたらしたときの斜視図である。
【図１８】ロック部材の他の例を示す斜視図である。
【図１９】図１８に示した物品運搬装置の断面図である。
【図２０】図１９に示した物品運搬装置の固定部材が退避位置を占めたときの断面図である。
【図２１】保持部材を有する物品運搬装置と、物品の斜視図である。
【図２２】保持部材をパレットから外したときの様子を示す斜視図である。
【符号の説明】
【００５２】
１  物品運搬装置
２  物品
３  パレット
４  固定部材
５  上面
６，７，８，９  側部
１３  ねじ
１４  水平面
１５，１５Ａ  垂直面
１７  ロック手段
３５  ロック部材
３９  緩衝部材
Ｓ  収納空間
【図１】
2008207827.tif 000003
【図２】
2008207827.tif 000004
【図３】
2008207827.tif 000005
【図４】
2008207827.tif 000006
【図５】
2008207827.tif 000007
【図６】
2008207827.tif 000008
【図７】
2008207827.tif 000009
【図８】
2008207827.tif 000010
【図９】
2008207827.tif 000011
【図１０】
2008207827.tif 000012
【図１１】
2008207827.tif 000013
【図１２】
2008207827.tif 000014
【図１３】
2008207827.tif 000015
【図１４】
2008207827.tif 000016
【図１５】
2008207827.tif 000017
【図１６】
2008207827.tif 000018
【図１７】
2008207827.tif 000019
【図１８】
2008207827.tif 000020
【図１９】
2008207827.tif 000021
【図２０】
2008207827.tif 000022
【図２１】
2008207827.tif 000023
【図２２】
2008207827.tif 000024